(57)【要約】    【課題】  全く新規な発想に基づき、装着感が良く、且つ、着脱が容易なゴーグル付きスイミングキャップを提供すること。  【解決手段】  本発明に係るゴーグル付きスイミングキャップは、レンズ及びフレームを備えたゴーグル本体と；端部が前記フレームに連結され、前記ゴーグル本体を使用者の頭部に対して保持するための締付け用のバンドと；スイミングキャップとを備えている。そして、前記バンドによって前記ゴーグル本体と前記スイミングキャップとの両方が同時に使用者の頭部に保持される構成となっている。１本のバンドによってキャップとゴーグルの双方が同時に装着可能となり、従来に比べて装着感がソフトになる。また、キャップとゴーグルが一体となっているため、着脱が容易となると同時に、装着時のずれを防止することが可能となる。  【選択図】  図１
2006022429.tif 000002
【特許請求の範囲】
【請求項１】
レンズ及び当該レンズを保持するフレームとを有するゴーグル本体と；
端部が前記フレームに連結され、前記ゴーグル本体を使用者の頭部に対して保持するための締付け用のバンドと；
スイミングキャップとを備え、
前記バンドによって、前記ゴーグル本体と前記スイミングキャップとの両方が同時に使用者の頭部に保持される構成のゴーグル付きスイミングキャップ。
【請求項２】
前記スイミングキャップは、前記バンドが挿通するバンド保持部を下縁部沿って備えることを特徴とする請求項１に記載のゴーグル付きスイミングキャップ。
【請求項３】
前記バンド保持部は、概ね連続的な袋帯状に成形されていることを特徴とする請求項２に記載のゴーグル付きスイミングキャップ。
【請求項４】
前記バンド保持部は、断続的に設けられた複数の保持部材から成ることを特徴とする請求項２に記載のゴーグル付きスイミングキャップ。
【請求項５】
前記バンドは、前記フレームとの連結部付近２箇所に脱着可能な連結部材を備えていることを特徴とする請求項１，２，３又は４に記載のゴーグル付きスイミングキャップ。
【請求項６】
前記バンドは、使用者の頭部後方１箇所に、脱着可能な連結部材を備えていることを特徴とする請求項１，２，３又は４に記載のゴーグル付きスイミングキャップ。
【請求項７】
前記連結部材は、スイミングキャップの内側に配置されることを特徴とする請求項６に記載のゴーグル付きスイミングキャップ。
【請求項８】
前記バンドは、前記スイミングキャップの下縁に沿って固定され、当該バンドの長さ調整を行う調整機構を備えることを特徴とする請求項１に記載のゴーグル付きスイミングキャップ。
【請求項９】
前記調整機構は、前記バンドの一端に設けられたループ状領域と他端に設けられたフック状領域とが噛み合うメカニカルファスナーであることを特徴とする請求項８に記載のゴーグル付きスイミングキャップ。
【請求項１０】
請求項１に記載のゴーグル付きスイミングキャップに使用されるゴーグル本体。
【請求項１１】
請求項１に記載のゴーグル付きスイミングキャップに使用されるスイミングキャップ。
【請求項１２】
前記スイミングキャップは、前記バンドが挿通するバンド保持部を下縁部沿って備えることを特徴とする請求項１１に記載のスイミングキャップ。
【請求項１３】
前記バンド保持部は、概ね連続的な袋帯状に成形されていることを特徴とする請求項１２に記載のスイミングキャップ。
【請求項１４】
前記バンド保持部は、断続的に設けられた複数の保持部材から成ることを特徴とする請求項１２に記載のスイミングキャップ。
【発明の詳細な説明】
【技術分野】
【０００１】
本発明は、水泳用ゴーグル及びスイミングキャップの構造に関する。
【背景技術】
【０００２】
水泳の際には、スイミングキャップとゴーグルの両方を使用する場合が多い。特に、子供のスイミングスクールなどで多く見かけられる。近年、スイミングキャップ及びゴーグルの性能の向上はめざましいものがある。例えば、特開２００３−６２１２１号公報には、水泳用ゴーグルのフレーム部に対するヘッドバンドの脱着を容易にした発明が開示されている。また、特開２００４−８１６１４号公報には、装着時に髪の毛が乱れにくいスイミングゴーグルが開示されている。
【０００３】
【特許文献１】特開２００３−６２１２１
【特許文献２】特開２００４−８１６１４
【発明の開示】
【発明が解決しようとする課題】
【０００４】
しかしながら、スイミングキャップとゴーグルの両方を装着すると、ゴム製のヘッドバンドによる頭部への締め付けが強く、装着感が悪い。また、特に子供の場合には、ゴーグルを上手に装着するのが困難な場合があり、水泳の途中でずれてしまうこともあった。更に、ゴーグルとスイミングキャップの何れか一方を紛失するケースが多く見受けられる。
【０００５】
本発明は、上記のような状況に鑑みてなされたものであり、全く新規な発想に基づき、装着感が良く、且つ、着脱が容易なゴーグル付きスイミングキャップを提供することを目的とする。
【課題を解決するための手段】
【０００６】
上記目的を達成するために、本発明に係るゴーグル付きスイミングキャップは、レンズ及びフレームを備えたゴーグル本体と；端部が前記フレームに連結され、前記ゴーグル本体を使用者の頭部に対して保持するための締付け用のバンドと；スイミングキャップとを備えている。そして、前記バンドによって前記ゴーグル本体と前記スイミングキャップとの両方が同時に使用者の頭部に保持される構成となっている。１本のバンドによってキャップとゴーグルの双方が同時に装着可能となり、従来に比べて装着感がソフトになる。また、キャップとゴーグルが一体となっているため、着脱が容易となると同時に、装着時のずれを防止することが可能となる。更に、ゴーグルとスイミングキャップの何れか一方を紛失するという事態を回避することができる。
【０００７】
スイミングキャップの下縁部において、断続的な複数の保持部材によってバンドを保持する構成を採用した場合には、キャップへのバンドの取り付け（セッティング）が容易となる。
【０００８】
用途に応じて、バンドの脱着用の係合部を左右２箇所、あるいは、後方１箇所に備えることが望ましい。また、着脱用の係合部をスイミングキャップの内側に配置した場合には、水の抵抗を抑える同時に、外観を良くする効果がある。
【発明を実施するための最良の形態】
【０００９】
図１及び図２は、本発明の第１実施例に係るゴーグル付きスイミングキャップ１０を示す斜視図及び背面図である。図３は、本実施例に使用されるスイミングゴーグルを示す斜視図である。本実施例に係るゴーグル付きスイミングキャップ１０は、スイミングキャップ１２と、スイミングゴーグル本体１４と、ゴムバンド２２とを備えている。ゴムバンドに代えて、他の弾性素材を採用することもできる。
【００１０】
スイミングキャップ１２は、例えば、ナイロン製のメッシュキャップや縦横に伸縮自在な素材（２ｗａｙ）で成形されるキャップを使用することができる。スイミングキャップ１２の下縁部には、ゴムバンド２２を通すための通し穴１６が設けられている。通し穴１６は、長袋（帯袋）状に成形され、スイミングキャップ１２の外周を連続的に包囲する構造となっている。なお、通し穴１６は、スイミングキャップ１２の一部として成形することができる。ゴーグル本体１４は、左右のプラスチックレンズ１８と、当該レンズ１８を保持するフレーム１９とを備えている。
【００１１】
フレーム１９とゴムバンド２２の端部とは、左右２つのプラスチック製の連結部材２０（２０ａ，２０ｂ）によってワンタッチで脱着可能に連結される。図２に示すように、ゴムバンド２２の両端部には、連結部材２０の雄側２０ａが接続され、フレーム１９には雌側２０ｂが固定されている。
【００１２】
使用に際しては、ゴムバンド２２の一端の連結部材雄側２０ａをスイミングキャップ１２の通し穴１６の一方の開口部（フレーム連結部近傍）から挿入し、通し穴１６の他方の開口部から引き出す。次に、ゴーグル本体１４のフレーム１９に固定された連結部雌側２０ｂとバンド２２の端部に固定された連結部雄側２０ａとをワンタッチで連結する。そして、実際に使用する際には、帽子をかぶる要領でゴーグル付きスイミングキャップ１０を頭部に装着し、その後ゴーグル本体１４の位置（レンズ１８の位置）を使用者の目の位置に合わせて微調整する。
【００１３】
なお、本実施例においては、ゴムバンド２２とスイミングキャップ１２とが分離しているが、製造段階においてこれらを縫い合わせる等の方法によって、一体化することもできる。
【００１４】
図４及び図５は、本発明の第２実施例に係るゴーグル付きスイミングキャップ１１０を示す斜視図及び背面図である。図６は、本実施例に使用されるスイミングゴーグルを示す斜視図である。本実施例に係るゴーグル付きスイミングキャップ１１０は、スイミングキャップ１１２と、スイミングゴーグル本体１１４と、ゴムバンド１２２とを備えている。ゴムバンドに代えて、他の弾性素材を採用することもできる。
【００１５】
スイミングキャップ１１２は、例えば、ナイロン製のメッシュキャップや縦横に伸縮自在な素材で成形されるキャップを使用することができる。スイミングキャップ１１２の下縁部には、ゴムバンド１２２を通すための長袋状の通し穴１１６が設けられている。通し穴１１６は、スイミングキャップ１１２の一部として成形することができる。ゴーグル本体１１４は、左右のプラスチックレンズ１１８と、当該レンズ１１８を保持するフレーム１１９とを備えている。ゴムバンド１２２は２本のゴムから構成され、各ゴムの一端が、フレーム１１９に固定されている。２本のゴムの他端は、プラスチック製の連結部材１２０（１２０ａ，１２０ｂ）により、後方（着用者の後頭部付近）においてワンタッチで脱着可能に連結される。
【００１６】
フレーム１１９とゴムバンド１２２の端部とは、１つのプラスチック製の連結部材１２０によってワンタッチで脱着可能に連結される。図６に示すように、２本のゴムバンド１２２の端部には、連結部材１２０の雄側１２０ａと雌側１２０ｂが各々接続されている。
【００１７】
使用に際しては、２本のゴムバンド１２２の端部に接続された連結部材１２０ａ，１２０ｂをスイミングキャップ１１２の通し穴１１６の開口部（フレーム連結部近傍）から挿入し、通し穴１１６の後方開口部から各々引き出す。次に、これら雄、雌の連結部材１２０ａ，１２０ｂを互いに連結する。そして、実際に使用する際には、帽子をかぶる要領でゴーグル付きスイミングキャップ１１０を頭部に装着し、その後ゴーグル本体１１４の位置（レンズ１１８の位置）を使用者の目の位置に合わせて微調整する。
【００１８】
なお、本実施例においては、ゴムバンド２２とスイミングキャップ１２とが分離しているが、製造段階においてこれらを縫い合わせる等の方法によって、一体化することもできる。
【００１９】
図７及び図８は、本発明の第３実施例に係るゴーグル付きスイミングキャップ２１０を示す斜視図及び背面図である。本実施例に係るゴーグル付きスイミングキャップ２１０は、スイミングキャップ２１２と、スイミングゴーグル本体１１４と、ゴムバンド１２２とを備えている。
【００２０】
スイミングキャップ２１２は、例えば、ナイロン製のメッシュキャップや縦横に伸縮自在な素材で成形されるキャップを使用することができる。スイミングキャップ２１２の下縁部には、ゴムバンド１２２を通すための保持部材２１６が所定の間隔で複数断続的に形成されている。保持部材２１６は、あたかもズボンのベルト通しの様である。ゴーグル本体１１４は、左右のプラスチックレンズ１１８と、当該レンズ１１８を保持するフレーム１１９とを備えている。ゴムバンド１１２は２本のゴムから構成され、各ゴムの一端が、フレーム１１９に固定されている。２本のゴムの他端は、プラスチック製の連結部材１２０により、後方（着用者の後頭部付近）においてワンタッチで脱着可能に連結される。
【００２１】
本実施例においては、ゴムバンド１２２を通すための保持部材２１６が所定の間隔で複数断続的に形成されているため、スイミングキャップ２１２に対するゴムバンド１２２の取り付け（セッティング）が容易となる。
【００２２】
フレーム１１９とゴムバンド１２２の端部とは、１つ（１組）のプラスチック製の連結部材１２０によってワンタッチで脱着可能に連結される。図４に示すように、２本のゴムバンド１２２の端部には、連結部材１２０の雄側１２０ａと雌側１２０ｂが各々接続されている。
【００２３】
使用に際しては、２本のゴムバンド１２２の端部に接続された連結部材１２０ａ，１２０ｂをスイミングキャップ１１２の保持部材２１６に順次挿入し、後方において、これら雄、雌の連結部材１２０ａ，１２０ｂを互いに連結する。そして、実際に使用する際には、帽子をかぶる要領でゴーグル付きスイミングキャップ２１０を頭部に装着し、その後ゴーグル本体１１４の位置（レンズ１１８の位置）を使用者の目の位置に合わせて微調整する。
【００２４】
図９及び図１０は、本発明の第４実施例に係るゴーグル付きスイミングキャップ３１０を示す斜視図（裏側）及び側面図である。また、図１１は、図１０において円で囲われた部分を拡大して示す。本実施例に係るゴーグル付きスイミングキャップ３１０は、スイミングキャップ３１２と、スイミングゴーグル本体１１４と、ゴムバンド１２２とを備えている。
【００２５】
スイミングキャップ３１２は、例えば、ナイロン製のメッシュキャップや縦横に伸縮自在な素材で成形されるキャップを使用することができる。スイミングキャップ３１２の下縁部には、ゴムバンド１２２を通すための長袋（帯袋）状の通し穴３１６が設けられている。通し穴３１６は、スイミングキャップ３１２の一部として成形することができる。ゴーグル本体１１４は、左右のプラスチックレンズ１１８と、当該レンズ１１８を保持するフレーム１１９とを備えている。ゴムバンド１１２は２本のゴムから構成され、各ゴムの一端が、フレーム１１９に固定されている。２本のゴムの他端は、プラスチック製の連結部材１２０により、後方（着用者の後頭部付近）においてワンタッチで脱着可能に連結される。
【００２６】
スイミングキャップ３１２の後方（着用者の後頭部付近）では、通し穴３１６が部分的に途切れており、ゴムバンド３１２の先端に取り付けられた連結部材１２０（１２０ａ，１２０ｂ）が露出するための開口部３３０が、スイミングキャップ３１２の内側に形成されている。これにより、連結部材１２０がスイミングキャップ３１２の内側に入り、外部に露出しないため、水泳時における水の抵抗を抑えると同時に、外観を良くする効果がある。
【００２７】
フレーム１１９とゴムバンド１２２の端部とは、１つのプラスチック製の連結部材１２０によってワンタッチで脱着可能に連結される。図６に示す場合と同様に、２本のゴムバンド１２２の端部には、連結部材１２０の雄側１２０ａと雌側１２０ｂが各々接続されている。
【００２８】
使用に際しては、２本のゴムバンド１２２の端部に接続された連結部材１２０ａ，１２０ｂをスイミングキャップ３１２の通し穴３１６の開口部（フレーム連結部近傍）から挿入し、通し穴３１６の後方開口部３３０から各々引き出す。次に、これら雄、雌の連結部材１２０ａ，１２０ｂを互いに連結する。そして、実際に使用する際には、帽子をかぶる要領でゴーグル付きスイミングキャップ３１０を頭部に装着し、その後ゴーグル本体１１４の位置（レンズ１１８の位置）を使用者の目の位置に合わせて微調整する。
【００２９】
なお、本実施例においては、ゴムバンド２２とスイミングキャップ１２とが分離しているが、製造段階においてこれらを縫い合わせる等の方法によって、一体化することもできる。
【００３０】
図１２及び図１３は、本発明の第５実施例に係るゴーグル付きスイミングキャップ４１０を示す斜視図及び背面図である。また、図１４は、図１３において楕円で囲われた部分を拡大して示す。本実施例に係るゴーグル付きスイミングキャップ４１０は、スイミングキャップ４１２と、スイミングゴーグル本体４１４と、締め付けバンド４２２とを備えている。
【００３１】
スイミングキャップ４１２は、例えば、ナイロン製のメッシュキャップや縦横に伸縮自在な素材で成形されるキャップを使用することができる。締め付けバンド４２２は、弾性又は非弾性の素材で成形され、スイミングキャップ４１２の下縁部に、スイミングキャップ４１２と一体に設けられる。あるいは、上述した各実施例と同様に、スイミングキャップ下縁部に通し穴を形成し、その中を通すような構成とすることもできる。ゴーグル本体４１４は、左右のプラスチックレンズ４１８と、当該レンズ４１８を保持するフレーム４１９とを備えている。
【００３２】
締め付けバンド４２２の後方（着用者の後頭部付近）は、部分的にスイミングキャップ４１２から離脱しており、メカニカルファスナー（マジックテープ（登録商標））４２４によって、容易に連結可能となっている。メカニカルファスナー４２４は、バンド４２２の一端に設けられたループ状領域と他端に設けられたフック状領域４２４ａ，４２４ｂから構成され、これらを合わせることにより、キャップの固定が可能となる。また、領域４２４ａ，４２４ｂの合わせ位置を変更することにより、容易に締め付け力の調整が可能となっている。本実施例においては、上述した他の実施例と異なり、面での連結によって締め付け力の調整ができるため、外観的にすっきりし、水の抵抗を抑える効果が期待できる。
【００３３】
上述したように、本発明の各実施例によれば、１本のバンドによってキャップとゴーグルの双方が同時に装着可能となり、従来に比べて装着感がソフトになる。また、キャップとゴーグルが一体となっているため、着脱が容易となると同時に、装着時のずれを防止することができる。更に、ゴーグルとスイミングキャップの何れか一方を紛失する事態を回避することができる。
【００３４】
以上、本発明の実施例について説明したが、本発明はこれらの実施例に何ら限定されるものではなく、特許請求の範囲に示された技術的思想の範疇において変更可能なものである。
【図面の簡単な説明】
【００３５】
【図１】図１は、本発明の第１実施例に係るゴーグル付きスイミングキャップを示す斜視図である。
【図２】図２は、図１に示すゴーグル付きスイミングキャップの背面図である。
【図３】図３は、図１に示す第１実施例に使用されるスイミングゴーグルを示す斜視図である。
【図４】図４は、本発明の第２実施例に係るゴーグル付きスイミングキャップを示す斜視図である。
【図５】図５は、図４に示すゴーグル付きスイミングキャップの背面図である。
【図６】図６は、図４に示す第２実施例に使用されるスイミングゴーグルを示す斜視図である。
【図７】図７は、本発明の第３実施例に係るゴーグル付きスイミングキャップを示す斜視図である。
【図８】図８は、図７に示すゴーグル付きスイミングキャップの背面図である。
【図９】図９は、本発明の第４実施例に係るゴーグル付きスイミングキャップを示す斜視図であり、裏側から見た様子を示す。
【図１０】図１０は、図９に示すゴーグル付きスイミングキャップの側面図である。
【図１１】図１１は、図９に示すゴーグル付きスイミングキャップの要部拡大図である。
【図１２】図１２は、本発明の第５実施例に係るゴーグル付きスイミングキャップを示す斜視図である。
【図１３】図１３は、図１２に示すゴーグル付きスイミングキャップの背面図である。
【図１４】図１４は、図１２に示すゴーグル付きスイミングキャップの要部拡大図である。
【符号の説明】
【００３６】
１０，１１０，２１０，３１０，４１０      ゴーグル付きスイミングキャップ
１２，１１２，２１２，３１２，４１２      スイミングキャップ
１４，１１４      ゴーグル本体
１６，１１６，３１６      連続的通し穴（帯袋状）
２１６      断続的保持部材
１８，１１８      レンズ
１９，１１９      フレーム
２０      連結部材
４２４      メカニカルファスナー、マジックテープ（登録商標）
【図１】
2006022429.tif 000003
【図２】
2006022429.tif 000004
【図３】
2006022429.tif 000005
【図４】
2006022429.tif 000006
【図５】
2006022429.tif 000007
【図６】
2006022429.tif 000008
【図７】
2006022429.tif 000009
【図８】
2006022429.tif 000010
【図９】
2006022429.tif 000011
【図１０】
2006022429.tif 000012
【図１１】
2006022429.tif 000013
【図１２】
2006022429.tif 000014
【図１３】
2006022429.tif 000015
【図１４】
2006022429.tif 000016